(57)【要約】【課題】耐障害性能を高めたゲートウェイ装置を提供すること。【解決手段】受電部は給電装置１−７に接続される第１給電モジュール３−１と、給電装置１−８に接続される第２給電モジュール３−２とに多重化される。各モジュール３−１，３−２はそれぞれの給電装置１−７，１−８から給電される電源から直流駆動電源を生成する整流部（電源フィルタおよびダイオード）と、直流駆動電源を分配して接続対象のゲートウェイ部に供給する分配部とを備える。各モジュール３−１，３−２の分配部は外部から挿抜可能な中継ケーブル３−３により接続される。【選択図】      図３
2008015927.tif 000002
【特許請求の範囲】
【請求項１】
ＩＰ（Internet Protocol）網とこのＩＰ網とは異なる通信網との間でのプロトコル変換を行うゲートウェイ部を複数系統備えるゲートウェイ装置であって、
第１系および第２系に多重化された外部給電装置に接続され、前記ゲートウェイ部のそれぞれに供給するための駆動電源を生成する受電部を具備し、
この受電部は、
第１系外部給電装置に接続される第１給電モジュールと、
第２系外部給電装置に接続される第２給電モジュールとを備え、
前記第１給電モジュールは、
前記第１系外部給電装置から給電される電源から直流駆動電源を生成する整流部と、
前記直流駆動電源を分配して一部のゲートウェイ部に供給する分配部とを備え、
前記第２給電モジュールは、
前記第２系外部給電装置から給電される電源から直流駆動電源を生成する整流部と、
前記直流駆動電源を分配して残りのゲートウェイ部に供給する分配部とを備えることを特徴とするゲートウェイ装置。
【請求項２】
前記受電部は、前記第１給電モジュールの分配部と前記第２給電モジュールの分配部とを接続する挿抜可能な中継ケーブルを備えることを特徴とする請求項１に記載のゲートウェイ装置。
【請求項３】
前記第１および第２給電モジュールは、それぞれ自己の整流部の障害を検出する障害検出手段を備えることを特徴とする請求項１に記載のゲートウェイ装置。
【請求項４】
前記第１および第２給電モジュールは、それぞれ自己の分配部の障害を検出する障害検出手段を備えることを特徴とする請求項１に記載のゲートウェイ装置。
【請求項５】
前記障害検出手段により障害が検出された場合に、その旨を使用者に報知する障害報知手段を具備することを特徴とする請求項３または４に記載のゲートウェイ装置。
【請求項６】
前記障害報知手段は、前記ＩＰ網に接続される監視装置に前記障害の検出された旨を通知することを特徴とする請求項５記載のゲートウェイ装置。
【発明の詳細な説明】
【技術分野】
【０００１】
この発明は、例えばＩＰ（Internet Protocol）網と回線交換網との相互接続を行うために用いられるゲートウェイ装置に関する。
【背景技術】
【０００２】
複数の外部電源から受電して給電系を多重化する電源システムが知られている（例えば特許文献１を参照）。この種の電源装置は通信装置などに用いられ、その信頼性を高めている。  
ところで、ゲートウェイ装置などの通信装置に用いられる電源装置においては、複数の電源から受電するとしても、駆動電力を装置各部に分配する受電部が一体化構造となっていた。すなわち、電源部の二重化のため２系統の電源を引き込む構成ではあるものの、受電部が複数系統化されていないために故障箇所の切り離しができない。このため電源引き込み部分の障害には備えることができるが、受電部の障害に対しては多重化が十分ではなく、障害への備えに不十分な面がある。
【特許文献１】特開平１１−１０３５４０号公報
【発明の開示】
【発明が解決しようとする課題】
【０００３】
以上述べたように既存のゲートウェイ装置には、電源供給部分の耐障害性能に難点があり、何らかの対処が望まれている。  
この発明は上記事情によりなされたもので、その目的は、耐障害性能を高めたゲートウェイ装置を提供することにある。
【課題を解決するための手段】
【０００４】
上記目的を達成するためにこの発明の一態様によれば、ＩＰ網とこのＩＰ網とは異なる通信網との間でのプロトコル変換を行うゲートウェイ部を複数系統備えるゲートウェイ装置であって、第１系および第２系に多重化された外部給電装置に接続され、前記ゲートウェイ部のそれぞれに供給するための駆動電源を生成する受電部を具備し、この受電部は、第１系外部給電装置に接続される第１給電モジュールと、第２系外部給電装置に接続される第２給電モジュールとを備え、前記第１給電モジュールは、前記第１系外部給電装置から給電される電源から直流駆動電源を生成する整流部と、前記直流駆動電源を分配して一部のゲートウェイ部に供給する分配部とを備え、前記第２給電モジュールは、前記第２系外部給電装置から給電される電源から直流駆動電源を生成する整流部と、前記直流駆動電源を分配して残りのゲートウェイ部に供給する分配部とを備えることを特徴とするゲートウェイ装置が提供される。  
このような手段を講じることにより、受電部が２系統のモジュールに多重化され、一方のモジュールに故障が発生した場合には、もう一方のモジュールによりゲートウェイ装置に対する電源供給を継続できる。また故障の発生したモジュールを交換して故障部分を正常化し、受電部の二重化の復元が可能となる。
【発明の効果】
【０００５】
この発明によれば、耐障害性能を高めたゲートウェイ装置を提供することができる。
【発明を実施するための最良の形態】
【０００６】
図１はこの発明に係わるゲートウェイ装置を示す模式図である。図１のゲートウェイ装置はそれぞれゲートウェイ機能を有する４システムを内蔵する。図１において、符号１−１はゲートウェイ装置、１−２〜１−５はゲートウェイ部であり、それぞれ単独でゲートウェイ機能を有していずれも１システムとして機能する（ｓｙｓ１〜ｓｙｓ４）。符号１−６は受電部、１−７は第１の外部給電装置、１−８は第２の外部給電装置である。また１−９は受電部故障の検出表示ＬＥＤ（発光ダイオード）である。各システム１−２〜１−５はそれぞれ回線交換網とＩＰ網とに接続され、プロトコル変換を行って両網間での通信を中継する。ＩＰ網には網監視装置ＭＥが接続される。
【０００７】
本発明の説明に先立ち、既存のゲートウェイ装置につき説明する。図２は従来のゲートウェイ装置の受電部を示すブロック図である。図２において符号２−１３は受電部である。この受電部２−１３はそれぞれブレーカ２−３、２−４、電源フィルタ２−５、２−６、ダイオード２−７、２−８、ブレーカ２−９、２−１０、２−１１、２−１２を備える。
【０００８】
受電部２−１３は給電装置１−７，１−８から２系統での給電を受けるが、給電装置１−７からの給電はブレーカ２−３、電源フィルタ２−５、ダイオード２−７を通して４システムのそれぞれのブレーカ２−９、２−１０、２−１１、２−１２に接続される。給電装置１−８からの給電はブレーカ２−４、電源フィルタ２−６、ダイオード２−８を通して、４システムのそれぞれのブレーカ（２−９、２−１０、２−１１、２−１２）に接続される。このような構成であるから受電部２−１３における障害切り分けができず、耐障害性能面で難点がある。
【０００９】
図３は本発明に係るゲートウェイ装置の受電部を示すブロック図である。図３において、受電部は給電装置１−７に接続される第１給電モジュール３−１と、給電装置１−８に接続される第２給電モジュール３−２とに多重化される。各モジュール３−１，３−２はそれぞれの給電装置１−７，１−８から給電される電源から直流駆動電源を生成する整流部（電源フィルタおよびダイオード）と、直流駆動電源を分配して接続対象のゲートウェイ部に供給する分配部とを備える。各モジュール３−１，３−２の分配部は外部から挿抜可能な中継ケーブル３−３により接続される。
【００１０】
図４は、図３の基本構成に加えてアラーム検出機能を追加した構成を示すブロック図である。図４において、アラーム検出部４−３はフィルタ２−５の直下の電圧をモニタしてモジュール３−１の障害を検出する。アラーム検出部４−４，４−５はそれぞれブレーカ２−９，２−１０の直下の電圧をモニタする。これによりシステム１−２への電源供給の障害はアラーム検出部４−４により検出され、システム１−３への電源供給の障害はアラーム検出部４−５により検出される。
【００１１】
同様に、アラーム検出部４−６はフィルタ２−６の直下の電圧をモニタしてモジュール３−２の障害を検出する。アラーム検出部４−７，４−８はそれぞれブレーカ２−１１，２−１２の直下の電圧をモニタする。これによりシステム１−３への電源供給の障害はアラーム検出部４−７により検出され、システム１−４への電源供給の障害はアラーム検出部４−８により検出される。
【００１２】
図５は本発明に係わるゲートウェイ装置の受電部に障害が発生した場合対処を説明するための図である。図５において、例えば第１給電モジュール３−１の電源フィルタ２−５が故障して後段に電圧が発生しない状態になったとする。この場合、アラーム検出部４−３でアラームが検出される。このアラームは受電部故障を表す装置ＬＥＤ１−９などで表示されるとともに、網監視装置ＭＥに通知される。
【００１３】
この状態を受けて、作業者はブレーカ２−３，２−９，２−１０をオフし、中継ケーブル３−３を一旦外して給電装置１−８からの電流の流れを切った状態で第１給電モジュール３−１を交換あるいは修理する。交換の完了ののち、作業者は再び中継ケーブル３−３を接続し、オフとなっていたブレーカ２−３，２−９，２−１０をオンとする。
【００１４】
以上説明したようにこの実施形態では、受電部を２系統の第１および第２給電モジュール３−１，３−２に多重化し、各モジュール３−１，３−２を挿抜可能な中継ケーブル３−３により電気的に接続する。これにより一方のモジュールに故障が発生した場合には、もう一方のモジュールによりゲートウェイ装置に対する電源供給を継続できる。また故障の発生したモジュールを交換して故障部分を正常化し、受電部の二重化の復元が可能となる。これらのことから、耐障害性能を高めたゲートウェイ装置を提供することが可能となる。
【００１５】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１６】
【図１】この発明に係わるゲートウェイ装置を示す模式図。
【図２】従来のゲートウェイ装置の受電部を示すブロック図。
【図３】本発明に係るゲートウェイ装置の受電部を示すブロック図。
【図４】図３の基本構成に加えてアラーム検出機能を追加した構成を示すブロック図。
【図５】本発明に係わるゲートウェイ装置の受電部に障害が発生した場合対処を説明するための図。
【符号の説明】
【００１７】
１−１…ゲートウェイ装置、１−２〜１−５…ゲートウェイ部、１−６…受電部、１−７…第１の外部給電装置、１−８…第２の外部給電装置、１−９…表示ＬＥＤ、ＭＥ…網監視装置、２−１３…受電部、２−３，２−４，２−９，２−１０，２−１１，２−１２…ブレーカ、２−５，２−６…電源フィルタ、２−７，２−８…ダイオード、３−１…第１給電モジュール、３−２…第２給電モジュール、３−３…中継ケーブル、４−３，４−４，４−５，４−６，４−７，４−８…アラーム検出部
【図１】
2008015927.tif 000003
【図２】
2008015927.tif 000004
【図３】
2008015927.tif 000005
【図４】
2008015927.tif 000006
【図５】
2008015927.tif 000007